(57)【要約】  【課題】バージョンアップ、削除が可能な放送受信用のアプリケーションプログラムを利用しつつ、当該アプリケーションプログラムが削除されることにより選局及び音量コントロール操作ができなくなるという問題を解決した放送受信機能付き携帯電話機を提供する。  【解決手段】  放送受信機能付き携帯電話機は、ユーザの指示に基づいてデータの書き替え及び削除が可能なフラッシュメモリに第１ラジオアプリを、ユーザの指示によっては削除ができないＲＯＭに第２ラジオアプリを記憶しており、ラジオアプリの起動指示をユーザから受け付けると、第１ラジオアプリがフラッシュメモリから削除されていない限り、当該第１ラジオアプリを起動させ、第１ラジオアプリがフラッシュメモリから削除されていれば、第２ラジオアプリを起動させる制御を行う。  【選択図】  図３
2005109844.tif 000002
【特許請求の範囲】
【請求項１】
アプリケーションプログラムの実行環境と、ＧＵＩ（Ｇｒａｐｈｉｃａｌ Ｕｓｅｒ Ｉｎｔｅｒｆａｃｅ）画面を表示する表示部とを備えた携帯電話機であって、
放送波を受信する放送受信手段と、
放送波の選局及び音量コントロールをユーザ操作可能とするＧＵＩ画面を前記表示部に表示する第１アプリケーションプログラムを、書替可能に記憶する第１記憶手段と、
前記第１アプリケーションプログラムに相当する第２アプリケーションプログラムを、書替できないように記憶する第２記憶手段とを備える
ことを特徴とする放送受信機能付き携帯電話機。
【請求項２】
ユーザから指示を受け付ける操作部と、
ユーザから放送受信用のアプリケーションプログラムを起動する指示を受け付けたときに、前記第１アプリケーションプログラムが前記第１記憶手段に記憶されている場合は、当該第１アプリケーションプログラムを起動させ、ユーザから受け付けた削除指示に基づいて当該第１アプリケーションプログラムが第１記憶手段から削除されている場合は、前記第２アプリケーションプログラムを起動させる制御手段とを備える
ことを特徴とする請求項１記載の放送受信機能付き携帯電話機。
【請求項３】
前記第１アプリケーションプログラムは、前記第２アプリケーションプログラムより多機能であることを特徴とする請求項２記載の放送受信機能付き携帯電話機。
【請求項４】
前記第２アプリケーションプログラムは、前記第１アプリケーションプログラムよりデータ量が小さいことを特徴とする請求項２又は３に記載の放送受信機能付き携帯電話機。
【請求項５】
外部機器と通信を行う通信手段と、
ユーザから前記第１アプリケーションプログラムの一部又は全部を更新する指示を前記操作部を介して受け付けることにより、前記通信手段を用いて外部機器と通信を行い、前記第１アプリケーションプログラムの一部又は全部を更新する更新手段とを備える
ことを特徴とする請求項１〜４のうちいずれか１項に記載の放送受信機能付き携帯電話機。
【請求項６】
前記放送受信手段は、ＦＭ放送波を受信して復調するアンテナ及びＦＭチューナーであり、
前記第１アプリケーションプログラム及び前記第２アプリケーションプログラムは、ＦＭ放送の選局をユーザ操作可能とするＧＵＩ画面を前記表示部に表示することを特徴とする請求項１〜５うちいずれか１項に記載の放送受信機能付き携帯電話機。
【請求項７】
前記放送受信機能付き携帯電話機は、
電話の着信を検知する検知手段を備え、
アプリケーションプログラムを起動させる指示をユーザから受け付けるために表示するアプリケーション選択画面が前記表示部に表示されている間に、電話の着信が検知された場合、前記制御手段は、当該アプリケーション選択画面を、ユーザに着信を通知するために表示する着信通知画面に切り替える
ことを特徴とする請求項１〜６のうちいずれか１項に記載の放送受信機能付き携帯電話機。
【請求項８】
前記表示部は、バックライトを有し、
前記制御手段は、電話の着信が検知された場合、前記バックライトを点灯させる制御を行う
ことを特徴とする請求項７に記載の放送受信機能付き携帯電話機。
【請求項９】
前記放送受信機能付き携帯電話機は、通話断を検知する通話断検知手段を備え、
前記制御手段は、前記アプリケーション選択画面から前記着信通知画面に切り替えた後に通話断が検知された場合、当該アプリケーション選択画面を再び表示させることを特徴とする請求項７又は８に記載の放送受信機能付き携帯電話機。
【発明の詳細な説明】
【技術分野】
【０００１】
本発明は、アプリケーションプログラムの実行環境と、ＧＵＩ（Ｇｒａｐｈｉｃａｌ Ｕｓｅｒ Ｉｎｔｅｒｆａｃｅ）画面を表示する表示部と、放送受信機能とを備えた携帯電話機に関し、特に放送受信機能のユーザ操作をアプリケーションプログラムの実行により実現するものに関する。
【背景技術】
【０００２】
現在普及している携帯電話機には、Ｊａｖａ（登録商標）又はＢＲＥＷ（登録商標）といったアプリケーションプログラム実行環境が備わっており、様々なアプリケーションプログラムを携帯電話機において実行することが可能となっている。アプリケーションプログラムには、例えば、ゲームアプリケーションプログラム、地図アプリケーションプログラム、株式リアルタイム情報表示アプリケーションプログラム、待ち受け画面アプリケーションプログラム等がある。
【０００３】
いずれかのアプリケーションプログラムが実行されると、携帯電話機に備わるＬＣＤ（Ｌｉｑｕｉｄ Ｃｒｙｓｔａｌ Ｄｉｓｐｌａｙ）に、ゲーム画面、アニメーション画面、ＧＵＩ（Ｇｒａｐｈｉｃａｌ Ｕｓｅｒ Ｉｎｔｅｒｆａｃｅ）画面等が表示される。
アプリケーションプログラムは、ユーザが携帯電話機を購入する前、すなわち、携帯電話機の製造段階においてメモリに記憶されている場合と、ユーザが携帯電話機を購入後に、当該携帯電話機に備わる通信手段を用いて、外部機器からダウンロードしてメモリに記憶させる場合とがある。アプリケーションプログラムを記憶するメモリとしては、データの書き替えや消去が自由に行えるフラッシュメモリが一般的に用いられている。
【０００４】
ダウンロードは、新たなアプリケーションプログラムの取得の他、既にメモリに記憶されているアプリケーションプログラムを更新（バージョンアップ）することを目的として行われる。バージョンアップは、新機能の追加や、バグの修正等を主な目的として実施される。
ところで、携帯電話機に備わるラジオチューナーのユーザ操作を可能とするＧＵＩ画面をＬＣＤに表示するラジオアプリケーションプログラム（以下、単にラジオアプリという。）がある。
【０００５】
ラジオアプリは、基本機能として選局機能、音量調節機能等を有しており、ＬＣＤにＧＵＩ画面を表示し、携帯電話機に備わるテンキー等の各種操作ボタンを介してユーザからチャンネル（周波数）や音量等の設定指示を受け付ける。
ラジオアプリは、ユーザから受け付けた指示に基づいて、ラジオチューナーやアンプを制御して周波数や、音量の設定を行う。
【０００６】
上述の基本機能以外に付加機能を有するラジオアプリもある。例えば、ラジオアプリを起動させた際にＬＣＤに表示するＧＵＩ画面の画面イメージ（以下、「スキン」と言う。）をユーザの好みのスキンに変更できるスキン変更機能や、現在受信しているラジオが楽曲であれば、その楽曲のアーティスト名、作曲者等の情報を、外部機器から通信によって取得して、表示部に表示させる楽曲情報取得機能等がある。
【０００７】
また、下記の特許文献にラジオ放送受信機能を備えた携帯電話機が開示されている。
【特許文献１】特開２００２−１０１１６４号公報
【発明の開示】
【発明が解決しようとする課題】
【０００８】
ところで、上述のラジオアプリは、他のアプリケーションプログラムと同様、フラッシュメモリに記憶されており、ユーザの指示によって更新及び削除が可能である。
そのため、新たなアプリケーションプログラムをダウンロードするための空き容量確保、或いはユーザの誤操作によって、ラジオアプリが削除されることがある。ラジオアプリが削除されると、ラジオ放送の選局や音量コントロールが出来なくなるので、ラジオ放送受信機能付き携帯電話機であるのにもかかわらず、ラジオを聴くことができないという問題が発生する。
【０００９】
これはＡＭ放送やＴＶ放送等、他の放送を受信する機能を備えた携帯電話機であって、アプリケーションプログラムが表示するＧＵＩ画面によって選局及び音量コントロール可能としているものであれば、同様の問題は起こり得る。
本発明は、バージョンアップ、削除が可能な放送受信用のアプリケーションプログラムを利用しつつ、当該アプリケーションプログラムが削除されることにより選局及び音量コントロール操作ができなくなる問題を解決した放送受信機能付き携帯電話機を提供することを目的とする。
【課題を解決するための手段】
【００１０】
上記目的を達成するために本発明に係る放送受信機能付き携帯電話機は、アプリケーションプログラムの実行環境と、ＧＵＩ（Ｇｒａｐｈｉｃａｌ Ｕｓｅｒ Ｉｎｔｅｒｆａｃｅ）画面を表示する表示部とを備えた携帯電話機であって、放送波を受信する放送受信手段と、放送波の選局及び音量コントロールをユーザ操作可能とするＧＵＩ画面を前記表示部に表示する第１アプリケーションプログラムを、書替可能に記憶する第１記憶手段と、前記第１アプリケーションプログラムに相当する第２アプリケーションプログラムを、書替できないように記憶する第２記憶手段とを備えることを特徴とする。
【００１１】
ここで、書替可能とは、ユーザの指示によってデータの更新、削除が可能であることを意味する。
また、前記第１アプリケーションプログラムに相当する第２アプリケーションプログラムとは、放送波の選局及び音量コントロールといった放送コンテンツをユーザが視聴するための基本的なユーザ操作を実現するＧＵＩ（Ｇｒａｐｈｉｃａｌ Ｕｓｅｒ Ｉｎｔｅｒｆａｃｅ）画面を表示するアプリケーションプログラムのことをいう。
【発明の効果】
【００１２】
上記構成により、第１アプリケーションプログラムが削除されたとしても、削除されることのない第２アプリケーションプログラムがあるので、放送コンテンツを視聴するためのユーザ操作ができなくなるくなるという問題は起こらない。
また、ユーザから指示を受け付ける操作部と、ユーザから放送受信用のアプリケーションプログラムを起動する指示を受け付けたときに、前記第１アプリケーションプログラムが前記第１記憶手段に記憶されている場合は、当該第１アプリケーションプログラムを起動させ、ユーザから受け付けた削除指示に基づいて当該第１アプリケーションプログラムが第１記憶手段から削除されている場合は、前記第２アプリケーションプログラムを起動させる制御手段とを備えることとしてもよい。
【００１３】
この構成により、削除されない限り、バージョンアップ可能な第１アプリケーションプログラムが利用できるという効果を有する。
また、前記第１アプリケーションプログラムは、前記第２アプリケーションプログラムより多機能であることとしてもよい。
この構成により、第１アプリケーションプログラムを削除しない限り、第２アプリケーションプログラムにはない、第１アプリケーションプログラムに付加されている機能を利用することができる。
【００１４】
また、前記第２アプリケーションプログラムは、前記第１アプリケーションプログラムよりデータ量が小さいこととしてもよい。
この構成により、第２アプリケーションプログラムは、第１アプリケーションプログラムよりデータ量が小さいので、メモリ負担になりにくいというメリットがある。
また、外部機器と通信を行う通信手段と、ユーザから前記第１アプリケーションプログラムの一部又は全部を更新する指示を前記操作部を介して受け付けることにより、前記通信手段を用いて外部機器と通信を行い、前記第１アプリケーションプログラムの一部又は全部を更新する更新手段とを備えることとしてもよい。
【００１５】
この構成により、第１アプリケーションプログラムの付加機能の追加、バグの修正等のバージョンアップができる。
また、前記第１アプリケーションプログラムは、前記通信手段を用いて外部機器と通信を行って、現在受信している放送コンテンツに関連する情報を取得する機能を有することことしてもよい。
【００１６】
前記放送受信手段は、ＦＭ放送波を受信して復調するアンテナ及びＦＭチューナーであり、前記第１アプリケーションプログラム及び前記第２アプリケーションプログラムは、ＦＭ放送の選局をユーザ操作可能とするＧＵＩ画面を前記表示部に表示することとしてもよい。
この構成により、第１アプリケーションプログラムが削除されてもＦＭ放送の選局ができなくなるという問題は発生しない。
【００１７】
また、前記放送受信機能付き携帯電話機は、電話の着信を検知する検知手段を備え、アプリケーションプログラムを起動させる指示をユーザから受け付けるために表示するアプリケーション選択画面が前記表示部に表示されている間に、電話の着信が検知された場合、前記制御手段は、当該アプリケーション選択画面を、ユーザに着信を通知するために表示する着信通知画面に切り替えることとしてもよい。
【００１８】
この構成により、アプリケーション選択画面を表示中であっても、着信通知をユーザに知らせることができる。
また、前記表示部は、バックライトを有し、前記制御手段は、電話の着信が検知された場合、前記バックライトを点灯させる制御を行うこととしてもよい。
この構成により、着信通知画面を視認しやすくできる。
【００１９】
また、前記放送受信機能付き携帯電話機は、通話断を検知する通話断検知手段を備え、前記制御手段は、前記アプリケーション選択画面から前記着信通知画面に切り替えた後に通話断が検知された場合、当該アプリケーション選択画面を再び表示させることとしてもよい。
この構成により、通話が終われば、直ちにアプリケーションプログラムの選択を行うことができる。
【発明を実施するための最良の形態】
【００２０】
以下、本発明の実施形態について、図面を用いて説明する。
＜概要＞
本発明の一実施形態である放送受信機能付き携帯電話機には、ＢＲＥＷアプリ実行環境が備わっており、またＦＭラジオチューナーが搭載されている。係るＦＭラジオチューナーは、ＢＲＥＷに対応したラジオアプリの実行制御下において機能する。
【００２１】
放送受信機能付き携帯電話機は、ユーザの指示に基づいてデータの書き替え及び削除が可能なフラッシュメモリと、ユーザの指示によっては削除ができないＲＯＭを備え、フラッシュメモリには第１ラジオアプリが、ＲＯＭには第２ラジオアプリが記憶されている。
放送受信機能付き携帯電話機に備わる制御部は、フラッシュメモリに記憶されている第１ラジオアプリが存在する間、すなわち、ユーザの指示によって第１ラジオアプリが削除されない限り、ユーザのラジオアプリ起動指示に対して当該第１ラジオアプリを起動させ、第１ラジオアプリがフラッシュメモリに存在しない場合、すなわち、ユーザの指示によって第１ラジオアプリが削除されていれば、ユーザのラジオアプリ起動指示に対してＲＯＭに記憶されている第２ラジオアプリを起動させる制御を行う。
【００２２】
＜構成＞
図１は、放送受信機能付き携帯電話機の機能構成を示す図である。
放送受信機能付き携帯電話機１は、アンテナ２、通信部３、放送受信部４、制御部５、フラッシュメモリ６、ＲＯＭ７、操作部８、表示部９、入出力部１０、マイク１１、スピーカ１２、イヤホンジャック１３、イヤホンアンテナ１４を備える。なお、放送受信機能付き携帯電話機１は、一般的な携帯電話機が有する各種機能部を有しており、発明を説明する上で特に説明を要しない機能部については、図示及び説明を省略する。
【００２３】
図２は、放送受信機能付き携帯電話機１の外観図であり、図上の各符号は、上述の各機能部と対応する。
アンテナ２は、一般的な携帯電話機に備わるアンテナと同様であり、音声やデータ等を搬送する搬送波の送受を行う。受信した搬送波信号は、通信部３に送られる。
通信部３は、アンテナ２が受信した搬送波信号及び制御部５から伝送されてきた音声等の圧縮信号に対して、変復調処理、増幅処理、Ａ／Ｄ及びＤ／Ａ変換処理といった、送受信に係る一連の処理を行う機能部であり、一般的な携帯電話機に備わる機能と同様である。通信部３において処理された受信信号は、制御部５に伝送され、制御部５から伝送されてきた圧縮信号は通信部３において上記各処理がなされて、搬送波としてアンテナ２から出力される。
【００２４】
放送受信部４は、ＦＭラジオチューナーであり、制御部５からの指示に基づいて、指示された周波数帯のラジオ波を復調する機能を有する。復調された音声信号は、制御部５を介して入出力部１０に伝送される。
制御部５は、マイクロプロセッサ、ＤＳＰ（Ｄｉｇｉｔａｌ  Ｓｉｇｎａｌ  Ｐｒｏｃｅｓｓｏｒ）等によって構成されており、ＲＯＭ７又はフラッシュメモリ６に記憶されている各種プログラムに従って、通信制御や、アプリケーションプログラム実行制御等の各種制御を行う他、音声の伸長圧縮処理等を行う。
【００２５】
特に、ユーザから操作部８を介してラジオアプリの起動指示を受け付けた場合、制御部５は、フラッシュメモリ６に第１ラジオアプリが記録されていれば、第１ラジオアプリを起動させ、第１ラジオアプリが記録されていなければ、ＲＯＭ７に記録されている第２ラジオアプリを起動させる制御を行う。このラジオアプリ起動に係る詳細な制御動作については、後述する。
【００２６】
また、制御部５は、通信部３から伝送されてきた音声の圧縮信号を伸長処理して入出力部１０に伝送し、無線でダウンロードしたアプリケーションプログラムデータ等をフラッシュメモリ６に記憶する。
フラッシュメモリ６は、データの書き替え、削除が可能なメモリであり、第１ラジオアプリの他、各種アプリケーションプログラムがプレインストールされている。
【００２７】
また、ユーザの指示に基づいて外部機器からダウンロードしたアプリケーションプログラム等をフラッシュメモリ６に記憶することができる。
更に、フラッシュメモリ６又はＲＯＭ７に記憶されている各種アプリケーションプログラムを管理するためのアプリケーション管理テーブルを記憶している。
ＲＯＭ７は、データの書き替え、削除ができないメモリであり、第２ラジオアプリの他、携帯電話機の基本制御プログラムや、アプリケーションプログラム実行環境を実現するＢＲＥＷプラットホーム、主要なアプリケーションプログラム等が記憶されている。
【００２８】
操作部８は、一般的な携帯電話機に備わる０から９までのテンキーボタンや、オンフックボタン、オフフックボタン等の各種機能ボタンから成り、ユーザによるボタン押下によって、ユーザからの各種指示を受け付ける。ユーザから受け付ける指示は、例えば、電話番号入力指示や、各種アプリケーションプログラム起動指示等である。
表示部９は、ＬＣＤであり、待ち受け画面、アプリ選択画面、アプリ実行画面、着信通知画面等を表示する機能を有する。また、表示部９には、ボタン押下や筐体の開閉を検知した時や電話着信時に、画面を明るくするバックライト機能が備わっている。表示画面の切り替え及びバックライトの点灯は、制御部５の制御に基づいて行われる。
【００２９】
入出力部１０は、マイク１１が収集した音声を電気信号として受け付けて制御部５に伝送し、制御部５から伝送されてきた音声信号をスピーカ１２に送り、音声として出力させる。なお、イヤホンジャック１３にイヤホンアンテナ１４が接続されている場合は、制御部５から伝送されてきた音声信号をイヤホンジャックに伝送し、イヤホンアンテナ１４から音声が出力される。
【００３０】
イヤホンアンテナ１４は、一般的なイヤホンとしての機能の他、ＦＭラジオ波を受信するアンテナとしての役割を担う。
イヤホンジャック１３は、イヤホンアンテナ１４が接続されているか否かで入出力部１０が音声を出力する出力先を切り替えるスイッチの役割を果たしており、また、イヤホンアンテナ１４が接続されると、イヤホンアンテナ１４が受信したＦＭラジオ波を放送受信部４に伝送する。
【００３１】
＜動作＞
次に、本発明の特徴的な動作について説明する。
基本的な動作については、一般的な携帯電話機と同様であるので説明を省略する。
図３は、本発明の特徴的な動作であるアプリ選択画面の表示からラジオアプリ起動までの動作を説明するためのフローチャート図である。
【００３２】
ユーザはラジオアプリを起動させたい場合、まず、アプリ選択画面を表示部９に表示させる指示を放送受信機能付き携帯電話機１に対して行う。放送受信機能付き携帯電話機１は、これを受け付けると、アプリ選択画面を表示部９に表示させる（ステップＳ１）。
図４は、アプリ選択画面の一例を示す図である。
図４に示すアプリ選択画面には、メールアプリアイコン４１、ＷＥＢブラウザアプリアイコン４２、計算機アプリアイコン４３、メモ帳アプリアイコン４４、ゲームアプリアイコン４５、ラジオアプリアイコン４６が表示されており、ユーザはいずれかのアイコンを選択することで、これらのアイコンと対応しているアプリケーションプログラムを起動させることができる。
【００３３】
厳密に言えば、ユーザはいずれかのアイコンを選択することで、各アプリケーションプログラムに割り当てられているアプリケーションＩＤを指定しており、制御部５は、アプリケーションＩＤとアプリケーションプログラムが対応付けられているアプリケーション管理テーブルを参照して、指定されたアプリケーションＩＤと対応付けられているアプリケーションプログラムを起動させている。
【００３４】
図７は、アプリケーション管理テーブルの具体的な一例を示す図である。
アプリケーション管理テーブル７０１は、アプリケーションＩＤ、ステータスビット、アプリケーション名の項目から成る。
ステータスビットは、そのアプリケーションプログラムが書き替え及び削除が可能かを示すものであり、アプリケーションプログラムがフラッシュメモリ６に記憶されているか、ＲＯＭ７に格納されているかの違いとも言える。
【００３５】
基本的には、一つのアプリケーションプログラムに１つのアプリケーションＩＤが割り当てられるが、図７に示すように第１ラジオアプリと、第２ラジオアプリには同一のアプリケーションＩＤが割り当てられている。
ところで、このアプリ選択画面を表示中に電話着信があれば（ステップＳ２：ＹＥＳ）、制御部５は、現在表示されているアプリ選択画面から着信通知画面に切り替える制御を行う（ステップＳ７）。この時、着信通知画面の切り替えと共にバックライトを点灯させてもよい。
【００３６】
ステップＳ２において電話着信がなく（ステップＳ２：ＮＯ）、ユーザが操作部８に含まれる十字ボタン及び決定ボタンを操作して、ラジオアプリアイコン４６を指定すると（ステップＳ３）、すなわち、図７に示すアプリケーションＩＤ４が指定された場合、制御部５は、まずステータスビットがダイナミックである第１ラジオアプリの起動を試みる。
この時、フラッシュメモリ６に第１ラジオアプリが記憶されていれば（ステップＳ４：ＹＥＳ）、第１ラジオアプリが起動される（ステップＳ５）。もし、フラッシュメモリ６に第１ラジオアプリが記憶されていなければ（ステップＳ４：ＮＯ）、制御部５は、ステータスビットがスタティックである第２ラジオアプリの起動を行う（ステップＳ６）。
【００３７】
また、ステップＳ７において着信通知画面に切り替えた後に、通話断が検知されると（ステップＳ８：ＹＥＳ）、再びアプリ選択画面に切り替えて表示する（ステップＳ１）。
図５は、第１ラジオアプリを起動した際に表示部９に表示されるＧＵＩ画面の一例である。
ウィンドウ５１には、現在選択されているＦＭラジオ波の周波数帯が示される。
【００３８】
ＦＭラジオ波の周波数帯の選択には、周波数選択ボタン５２、５３を用いることができる他、１〜６までのプリセットボタン５６に、周波数帯を予め登録しておくことで、簡易に周波数帯を選択することもできる。
イヤホンアンテナ１４から出力されるＦＭラジオの音量の調整には、音量調整ボタン５４，５５が用いられる。
【００３９】
また、第１ラジオアプリには、通信機能を利用して、各種情報、データを取得するための機能が付加されている。図５に示すように、現在オンエアされている楽曲の情報を通信機能を利用して取得することができる楽曲情報取得ボタン５７、通信機能を利用して最新の人気楽曲ランキング情報を取得することができるランキング情報取得ボタン５８、通信機能を利用して第１ラジオアプリのヴァージョンを更新することができるヴァージョン更新ボタン５９、通信機能を利用してスキンデータを取得することができるスキンデータ取得ボタン６０等がある。
【００４０】
一方、図６は、第２ラジオアプリを起動した際に表示部９に表示されるＧＵＩ画面の一例である。
図６に示すように現在選択されているＦＭラジオ波の周波数帯を表示するウィンドウ６１、周波数帯を選択するために用いられる周波数選択ボタン６２、６３には、音量を調整するための音量調整ボタン６４，６５のみであり、ラジオアプリとしての基本機能しか有していない。
【００４１】
そのため、第２ラジオアプリは、第１ラジオアプリよりプログラムデータ量が小さい。
＜補足＞
なお、本発明は上記実施形態に限定されないのはもちろんである。以下のような場合も本発明に含まれる。
（１）第１ラジオアプリを格納しているメモリは、フラッシュメモリに限定されず、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）等、データの削除・書き込みが何度でも行える記憶デバイスであればよい。
【００４２】
（２）実施の形態ではＢＲＥＷプラットフォーム上で動作するラジオアプリについて説明したが、Ｊａｖａ（登録商標）ＶＭ上で動作するラジオアプリであってもよいし、アプリケーションプログラム実行可能な環境であれば、どのようなプラットフォームであってもよい。
（３）上記実施形態はＦＭラジオチューナーを備えた携帯電話機であったが、ＡＭラジオチューナー、ＴＶチューナー等であってもよい。
【００４３】
（４）上記実施形態の図３では、アプリ選択画面表示中に着信があれば、着信通知画面に切り替える処理を行っていたが、これに限られず、例えば、ラジオアプリ起動時に表示されるＧＵＩ画面の表示中や、その他のアプリケーションプログラム起動時に表示されるＧＵＩ画面の表示中において着信があれば、着信通知画面に切り替える処理を行ってもよい。
【００４４】
（５）第１ラジオアプリと第２ラジオアプリは、同じアプリであっても、付加機能が異なるアプリであってもよいが、ラジオ選局機能及び音量コントロール機能といった基本機能はどちらも備えている。
（６）上記実施形態において説明した処理ステップ（図３に示したステップ等）を、プログラム実行機能を有する放送受信機能付き携帯電話機に実行させるためのプログラムを、記録媒体に記録し又は各種通信路等を介して、流通させ頒布することができる。
【００４５】
かかる記録媒体には、ＩＣカード、光ディスク、フレキシブルディスク、ＲＯＭ等がある。流通、頒布されたプログラムは、プログラム実行機能を有する放送受信機能付き携帯電話機にインストールされることにより利用に供され、その放送受信機能付き携帯電話機は、そのプログラムを実行することにより、上記実施形態に示した機能を実現する。
【産業上の利用可能性】
【００４６】
本発明に係る放送受信機能付き携帯電話機は、ユーザが誤って、或いは新たなアプリケーションプログラムをダウンロードするための空き容量確保のために放送受信用アプリケーションプログラムを削除してしまうことにより、放送コンテンツを視聴するためのユーザ操作ができなくなるという問題を解決できるので、放送受信機能のユーザ操作をアプリケーションプログラムの実行により実現する放送受信機能付き携帯電話機において大変有用である。
【図面の簡単な説明】
【００４７】
【図１】放送受信機能付き携帯電話機の機能構成を示す図である。
【図２】放送受信機能付き携帯電話機の外観図である。
【図３】本発明の特徴的な動作部分を説明するためのフローチャートである。
【図４】アプリ選択画面の一例である。
【図５】第１ラジオアプリの起動画面の一例である。
【図６】第２ラジオアプリの起動画面の一例である。
【図７】アプリケーション管理テーブルの具体的な一例を示す図である。
【符号の説明】
【００４８】
１    放送受信機能付き携帯電話機
２    アンテナ
３    通信部
４    放送受信部
５    制御部
６    フラッシュメモリ
７    ＲＯＭ
８    操作部
９    表示部
１０  入出力部
１１  マイク
１２  スピーカ
１３  イヤホンジャック
１４  イヤホンアンテナ
【図１】
2005109844.tif 000003
【図２】
2005109844.tif 000004
【図３】
2005109844.tif 000005
【図４】
2005109844.tif 000006
【図５】
2005109844.tif 000007
【図６】
2005109844.tif 000008
【図７】
2005109844.tif 000009